(57)【要約】      （修正有）【課題】被収納体の移動を阻止して収納する収納体を提供する。【解決手段】収納体Ｓは、被収納体２を出し入れする開口部を有し、被収納体２を収納する袋状本体１と、開口部を開閉する開閉手段３と、袋状本体１の被収納体２を収納する相対向する面には、一方の面の略全体に亘って設けられた第１の面状ファスナーと、袋状本体１内の相対向する他方の面の略全体に亘って設けられると共に、第１の面状ファスナーに係脱自在に係合される第２の面状ファスナーとを備えている。【選択図】図１
2012011110.tif 000002
【特許請求の範囲】
【請求項１】
被収納体を出し入れする開口部を有し、前記被収納体を収納する袋状本体と、
前記開口部を開閉する開閉手段と、
前記袋状本体の前記被収納体を収納する部位は、前記袋状本体内の相対向する面であり、この袋状本体内の相対向する一方の面の略全体に亘って設けられた第１の面状ファスナーと、
前記袋状本体内の相対向する他方の面の略全体に亘って設けられると共に、前記第１の面状ファスナーに係脱自在に係合される第２の面状ファスナーとを備え、
前記第１の面状ファスナーと前記第２の面状ファスナーとの間に前記被収納体を位置させ、前記被収納体の周囲に位置する前記第１の面状ファスナーと前記第２の面状ファスナーとを係合させて、前記被収納体の移動を阻止して収納する
ことを特徴とする収納体。
【請求項２】
被収納体を出し入れする開口部を有し、前記被収納体を収納する袋状本体と、
前記袋状本体の前記被収納体を収納する部位は、前記袋状本体内の相対向する面であり、この袋状本体内の相対向する一方の面の略全体に亘って設けられた第１の面状ファスナーと、
前記袋状本体内の相対向する他方の面の略全体に亘って設けられると共に、前記第１の面状ファスナーに係脱自在に係合される第２の面状ファスナーとを備え、
前記第１の面状ファスナーと前記第２の面状ファスナーとの間に被収納体を位置させ、前記被収納体の周囲に位置する前記第１の面状ファスナーと前記第２の面状ファスナーとを係合させて、前記被収納体の移動を阻止して収納する
ことを特徴とする収納体。
【請求項３】
袋状本体は、被収納体を出し入れする開口部を有し、前記被収納体を収納するものであり、
前記袋状本体内には、少なくとも、相対向する面を有し、
前記袋状本体の前記被収納体を収納する部位は、前記袋状本体内の相対向する面であり、この相対向する面の一方の面に第１の面状ファスナーを設けた第１の部位と前記第１の面状ファスナーを設けない第２の部位があり、
前記第２の部位の外側に前記第１の部位が位置し、
前記相対向する面の他方の面に、前記第１の面状ファスナーに係脱自在に係合される第２の面状ファスナーを設けた第３の部位と前記第２の面状ファスナーを設けない第４の部位があり、
前記第４の部位の外側に前記第３の部位が位置し、
前記第１の部位が前記第３の部位に、前記第２の部位が前記第４の部位に、それぞれ対向し、
前記第２の部位と前記第４の部位の間に前記被収納体を位置させ、前記被収納体の周囲に位置する前記第１の面状ファスナーと前記第２の面状ファスナーとを係合させて、前記被収納体の移動を阻止して収納する
ことを特徴とする収納体。
【請求項４】
折曲線に対して対称な本体と、
この本体の折曲線の一方に位置する面の略全体に亘って設けられた第１の面状ファスナーと、
前記本体の折曲線の他方に位置する面の略全体に亘って設けられると共に、前記第１の面状ファスナーに係脱自在に係合される第２の面状ファスナーとを備え、
前記折曲線を介して折曲して前記第１の面状ファスナーと前記第２の面状ファスナーとの間に被収納体を位置させ、前記被収納体の周囲に位置する前記第１の面状ファスナーと前記第２の面状ファスナーとを係合させて、前記被収納体の移動を阻止して収納する
ことを特徴とする収納体。
【請求項５】
本体は、折曲線に対して対称なものであり、
この本体の折曲線の一方に位置する面に第１の面状ファスナーを設けた第１の部位と前記第１の面状ファスナーを設けない第２の部位があり、
前記第２の部位の外側に前記第１の部位が位置し、
前記本体の折曲線の他方に位置する面に、前記第１の面状ファスナーに係脱自在に係合される第２の面状ファスナーを設けた第３の部位と前記第２の面状ファスナーを設けない第４の部位があり、
前記第４の部位の外側に前記第３の部位が位置し、
前記折曲線を介して折曲した際、前記第１の部位が前記第３の部位に、前記第２の部位が前記第４の部位に、それぞれ対向し、
前記第２の部位と前記第４の部位の間に前記被収納体を位置させ、前記被収納体の周囲に位置する前記第１の面状ファスナーと前記第２の面状ファスナーとを係合させて、前記被収納体の移動を阻止して収納する
ことを特徴とする収納体。
【請求項６】
相対向する一方の面の略全体に亘って位置する第１の面状ファスナーを、相対向する他方の面の略全体に亘って位置すると共に、前記第１の面状ファスナーに係脱自在に係合される第２の面状ファスナーを、それぞれ設け、前記第１の面状ファスナーと前記第２の面状ファスナーとの間に被収納体を位置させ、前記被収納体の周囲に位置する前記第１の面状ファスナーと前記第２の面状ファスナーとを係合させて、前記被収納体の移動を阻止する
ことを特徴とする被収納体の移動阻止方法。
【請求項７】
相対向する一方の面に第１の面状ファスナーを設けた第１の部位と前記第１の面状ファスナーを設けない第２の部位があり、
前記第２の部位の外側に前記第１の部位が位置し、
相対向する他方の面に、前記第１の面状ファスナーに係脱自在に係合される第２の面状ファスナーを設けた第３の部位と前記第２の面状ファスナーを設けない第４の部位があり、
前記第４の部位の外側に前記第３の部位が位置し、
前記第１の部位が前記第３の部位に、前記第２の部位が前記第４の部位に、それぞれ対向し、
前記第２の部位と前記第４の部位の間に被収納体を位置させ、前記被収納体の周囲に位置する前記第１の面状ファスナーと前記第２の面状ファスナーとを係合させて、前記被収納体の移動を阻止する
ことを特徴とする被収納体の移動阻止方法。
【発明の詳細な説明】
【技術分野】
【０００１】
本発明は、収納体及び被収納体の移動阻止方法に係り、特に、被収納体の移動を阻止して収納する収納体及び被収納体の移動阻止方法に関する。
【背景技術】
【０００２】
従来、袋状本体内に複数の硬貨を入れる小銭入れがある（例えば、特許文献１参照）。
【先行技術文献】
【特許文献】
【０００３】
【特許文献１】特開２００２−１５９３１５号公報
【発明の概要】
【発明が解決しようとする課題】
【０００４】
しかしながら、上述した小銭入れにあっては、複数の硬貨を入れて小銭入れを持ち運ぶと、特に、小銭を持ってランニングすると、小銭入れ内の複数の硬貨が移動して、金属音が生じ、不快感を生じるという問題点があった。
【０００５】
本発明は、前記問題点を除去するようにした収納体及び被収納体の移動阻止方法を提供することを目的とする。
【課題を解決するための手段】
【０００６】
請求項１記載の収納体は、被収納体を出し入れする開口部を有し、前記被収納体を収納する袋状本体と、前記開口部を開閉する開閉手段と、前記袋状本体の前記被収納体を収納する部位は、前記袋状本体内の相対向する面であり、この袋状本体内の相対向する一方の面の略全体に亘って設けられた第１の面状ファスナーと、前記袋状本体内の相対向する他方の面の略全体に亘って設けられると共に、前記第１の面状ファスナーに係脱自在に係合される第２の面状ファスナーとを備え、前記第１の面状ファスナーと前記第２の面状ファスナーとの間に前記被収納体を位置させ、前記被収納体の周囲に位置する前記第１の面状ファスナーと前記第２の面状ファスナーとを係合させて、前記被収納体の移動を阻止して収納するものである。
【０００７】
また、請求項２記載の収納体は、被収納体を出し入れする開口部を有し、前記被収納体を収納する袋状本体と、前記袋状本体の前記被収納体を収納する部位は、前記袋状本体内の相対向する面であり、この袋状本体内の相対向する一方の面の略全体に亘って設けられた第１の面状ファスナーと、前記袋状本体内の相対向する他方の面の略全体に亘って設けられると共に、前記第１の面状ファスナーに係脱自在に係合される第２の面状ファスナーとを備え、前記第１の面状ファスナーと前記第２の面状ファスナーとの間に被収納体を位置させ、前記被収納体の周囲に位置する前記第１の面状ファスナーと前記第２の面状ファスナーとを係合させて、前記被収納体の移動を阻止して収納するものである。
【０００８】
また、請求項３記載の収納体は、袋状本体は、被収納体を出し入れする開口部を有し、前記被収納体を収納するものであり、前記袋状本体内には、少なくとも、相対向する面を有し、前記袋状本体の前記被収納体を収納する部位は、前記袋状本体内の相対向する面であり、この相対向する面の一方の面に第１の面状ファスナーを設けた第１の部位と前記第１の面状ファスナーを設けない第２の部位があり、前記第２の部位の外側に前記第１の部位が位置し、前記相対向する面の他方の面に、前記第１の面状ファスナーに係脱自在に係合される第２の面状ファスナーを設けた第３の部位と前記第２の面状ファスナーを設けない第４の部位があり、前記第４の部位の外側に前記第３の部位が位置し、前記第１の部位が前記第３の部位に、前記第２の部位が前記第４の部位に、それぞれ対向し、前記第２の部位と前記第４の部位の間に前記被収納体を位置させ、前記被収納体の周囲に位置する前記第１の面状ファスナーと前記第２の面状ファスナーとを係合させて、前記被収納体の移動を阻止して収納するものである。
【０００９】
また、請求項４記載の収納体は、折曲線に対して対称な本体と、この本体の折曲線の一方に位置する面の略全体に亘って設けられた第１の面状ファスナーと、前記本体の折曲線の他方に位置する面の略全体に亘って設けられると共に、前記第１の面状ファスナーに係脱自在に係合される第２の面状ファスナーとを備え、前記折曲線を介して折曲して前記第１の面状ファスナーと前記第２の面状ファスナーとの間に被収納体を位置させ、前記被収納体の周囲に位置する前記第１の面状ファスナーと前記第２の面状ファスナーとを係合させて、前記被収納体の移動を阻止して収納するものである。
【００１０】
また、請求項５記載の収納体は、本体は、折曲線に対して対称なものであり、この本体の折曲線の一方に位置する面に第１の面状ファスナーを設けた第１の部位と前記第１の面状ファスナーを設けない第２の部位があり、前記第２の部位の外側に前記第１の部位が位置し、前記本体の折曲線の他方に位置する面に、前記第１の面状ファスナーに係脱自在に係合される第２の面状ファスナーを設けた第３の部位と前記第２の面状ファスナーを設けない第４の部位があり、前記第４の部位の外側に前記第３の部位が位置し、前記折曲線を介して折曲した際、前記第１の部位が前記第３の部位に、前記第２の部位が前記第４の部位に、それぞれ対向し、前記第２の部位と前記第４の部位の間に前記被収納体を位置させ、前記被収納体の周囲に位置する前記第１の面状ファスナーと前記第２の面状ファスナーとを係合させて、前記被収納体の移動を阻止して収納するものである。
【００１１】
また、請求項６記載の被収納体の移動阻止方法は、相対向する一方の面の略全体に亘って位置する第１の面状ファスナーを、相対向する他方の面の略全体に亘って位置すると共に、前記第１の面状ファスナーに係脱自在に係合される第２の面状ファスナーを、それぞれ設け、前記第１の面状ファスナーと前記第２の面状ファスナーとの間に被収納体を位置させ、前記被収納体の周囲に位置する前記第１の面状ファスナーと前記第２の面状ファスナーとを係合させて、前記被収納体の移動を阻止するものである。
【００１２】
また、請求項７記載の被収納体の移動阻止方法は、相対向する一方の面に第１の面状ファスナーを設けた第１の部位と前記第１の面状ファスナーを設けない第２の部位があり、前記第２の部位の外側に前記第１の部位が位置し、相対向する他方の面に、前記第１の面状ファスナーに係脱自在に係合される第２の面状ファスナーを設けた第３の部位と前記第２の面状ファスナーを設けない第４の部位があり、前記第４の部位の外側に前記第３の部位が位置し、前記第１の部位が前記第３の部位に、前記第２の部位が前記第４の部位に、それぞれ対向し、前記第２の部位と前記第４の部位の間に被収納体を位置させ、前記被収納体の周囲に位置する前記第１の面状ファスナーと前記第２の面状ファスナーとを係合させて、前記被収納体の移動を阻止するものである。
【発明の効果】
【００１３】
請求項１記載の収納体によれば、袋状本体内の一方の面に設けた第１の面状ファスナーと袋状本体内の他方の面に設けた第２の面状ファスナーとの間に被収納体を位置させ、前記被収納体の周囲に位置する前記第１の面状ファスナーと前記第２の面状ファスナーとを係合させて、袋状本体内での前記被収納体の移動を阻止して収納するため、被収納体の移動に伴う不具合（例えば、袋状本体内での被収納体の移動に伴う損傷、被収納体が複数の硬貨であれば、複数の硬貨の移動に伴う金属音）を防止することができ、しかも、開閉手段を閉め忘れても、袋状本体内の被収納体が開口部を介して外に飛び出すことをも防止することができ、更に、第１の面状ファスナーは一方の面の略全体に亘って、第２の面状ファスナーは他方の面の略全体に亘って、それぞれ設けられているため、被収納体が平面視、第１の面状ファスナー及び第２の面状ファスナーより小さい範囲であれば、第１の面状ファスナーと第２の面状ファスナーとを係合させて、被収納体の移動を阻止して収納することができる。
【００１４】
また、請求項２記載の収納体によれば、袋状本体内の一方の面に設けた第１の面状ファスナーと袋状本体内の他方の面に設けた第２の面状ファスナーとの間に被収納体を位置させ、前記被収納体の周囲に位置する前記第１の面状ファスナーと前記第２の面状ファスナーとを係合させて、袋状本体内での前記被収納体の移動を阻止して収納するため、被収納体の移動に伴う不具合（例えば、被収納体の移動に伴う損傷、被収納体が複数の硬貨であれば、複数の硬貨の移動に伴う金属音）を防止することができ、しかも、開口部近傍の第１の面状ファスナーの部位と第２の面状ファスナーの部位とを係合させて開口部に至る通路を遮断するため、開口部を開閉する専用のファスナー等による開閉手段を不要とすることができ、更に、第１の面状ファスナーは一方の面の略全体に亘って、第２の面状ファスナーは他方の面の略全体に亘って、それぞれ設けられているため、被収納体が平面視、第１の面状ファスナー及び第２の面状ファスナーより小さい範囲であれば、第１の面状ファスナーと第２の面状ファスナーとを係合させて、被収納体の移動を阻止して収納することができる。
【００１５】
また、請求項３記載の収納体によれば、第２の部位と第４の部位の間に被収納体を位置させ、前記被収納体の周囲に位置する第１の面状ファスナーと第２の面状ファスナーとを係合させて袋状本体内での被収納体の移動を阻止して収納するため、被収納体の移動に伴う不具合（例えば、被収納体の移動に伴う損傷、被収納体が複数の硬貨であれば、複数の硬貨の移動に伴う金属音）を防止することができる。
【００１６】
また、請求項４記載の収納体によれば、本体の折曲線を介して折曲して第１の面状ファスナーと第２の面状ファスナーとの間に被収納体を位置させ、前記被収納体の周囲に位置する前記第１の面状ファスナーと前記第２の面状ファスナーとを係合させて、前記被収納体の移動を阻止して収納するするため、被収納体の移動に伴う不具合（例えば、被収納体の移動に伴う損傷、被収納体が複数の硬貨であれば、複数の硬貨の移動に伴う金属音）を防止することができる。
【００１７】
また、請求項５記載の収納体によれば、第２の部位と第４の部位の間に被収納体を位置させ、前記被収納体の周囲に位置する第１の面状ファスナーと第２の面状ファスナーとを係合させて本体内での被収納体の移動を阻止して収納するため、被収納体の移動に伴う不具合（例えば、被収納体の移動に伴う損傷、被収納体が複数の硬貨であれば、複数の硬貨の移動に伴う金属音）を防止することができる。
【００１８】
また、請求項６記載の被収納体の移動阻止方法によれば、相対向する一方の面の略全体に亘って位置する第１の面状ファスナーを、相対向する他方の面の略全体に亘って位置すると共に、前記第１の面状ファスナーに係脱自在に係合される第２の面状ファスナーを、それぞれ設け、前記第１の面状ファスナーと前記第２の面状ファスナーとの間に被収納体を位置させ、前記被収納体の周囲に位置する前記第１の面状ファスナーと前記第２の面状ファスナーとを係合させて、前記被収納体の移動を阻止するため、被収納体の移動に伴う不具合（例えば、袋状本体内での被収納体の移動に伴う損傷、被収納体が複数の硬貨であれば、複数の硬貨の移動に伴う金属音）を防止することができる。
【００１９】
また、請求項７記載の被収納体の移動阻止方法によれば、相対向する一方の面に第１の面状ファスナーを設けた第１の部位と前記第１の面状ファスナーを設けない第２の部位があり、前記第２の部位の外側に前記第１の部位が位置し、相対向する他方の面に、前記第１の面状ファスナーに係脱自在に係合される第２の面状ファスナーを設けた第３の部位と前記第２の面状ファスナーを設けない第４の部位があり、前記第４の部位の外側に前記第３の部位が位置し、前記第１の部位が前記第３の部位に、前記第２の部位が前記第４の部位に、それぞれ対向し、前記第２の部位と前記第４の部位の間に被収納体を位置させ、前記被収納体の周囲に位置する前記第１の面状ファスナーと前記第２の面状ファスナーとを係合させて、前記被収納体の移動を阻止する被収納体の移動に伴う不具合（例えば、袋状本体内での被収納体の移動に伴う損傷、被収納体が複数の硬貨であれば、複数の硬貨の移動に伴う金属音）を防止することができる。
【図面の簡単な説明】
【００２０】
【図１】図１は、本発明の一実施例の収納体（例えば、小銭入れ）の概略的正面図である。
【図２】図２は、図１の２−２線による概略的断面図である。
【図３】図３は、図２の収納体に被収納物を入れる前の状態の概略的断面図である。
【図４】図４は、図１の４−４線による概略的断面図である。
【図５】図５は、図１の収納体の開口部を開いた状態を示す概略的斜視図である。
【図６】図６は、図５の収納体の内側を外側に折り返した状態を示す概略的斜視図である。
【図７】図７は、図１の収納体と異なる他の実施例の概略的正面図である。
【図８】図８は、図７の収納体を手首から取り外し、展開して示す概略的正面図である。
【図９】図９は、図８の９−９線による概略的断面図である。
【図１０】図１０は、図８の収納体を手首に取り付ける状態を示す概略的断面図である。
【図１１】図１１は、図８の収納体と異なる他の実施例の概略的正面図である。
【図１２】図１２は、図１１の１２−１２線による概略的断面図である。
【図１３】図１３は、図１１の収納体と異なる他の実施例の概略的正面図である。
【図１４】図１４は、図１３の本体を折曲線に沿って折り曲げた状態の概略的断面図である。
【図１５】図１５は、図１４の収納体と異なる収納体を収納した状態を示す概略的断面図である。
【図１６】図１６は、図１３の収納体と異なる他の実施例の概略的正面図である。
【図１７】図１７は、図１６の本体を折曲線に沿って折り曲げた状態の概略的断面図である。
【発明を実施するための形態】
【００２１】
本発明の一実施例の収納体及び被収納体の移動阻止方法を図面を参照して説明する。
図１乃至図６に示すＳは収納体（例えば、小銭入れ）で、収納体Ｓは、被収納体２（例えば、硬貨）を出し入れする開口部１ａを有すると共に、被収納体２を収納する袋状本体１と、開口部１ａを開閉する開閉手段３とを備えている。
開閉手段３は、例えば、開口部１ａの両側に取り付けられた務歯を有するジッパーテープ３ａ、３ａと、これらジッパーテープ３ａ、３ａを係脱自在に係合するスライド（すべり金具）３ｂである。
【００２２】
また、袋状本体１の被収納体２を収納する部位は、袋状本体１内の相対向する面であり、この袋状本体１内の相対向する一方の面の略全体に亘って第１の面状ファスナー４が設けられている。
また、袋状本体１内の相対向する他方の面の略全体に亘って第２の面状ファスナー５が設けられ、この第２の面状ファスナー５は、第１の面状ファスナー４に係脱自在に係合されるようになっている（図３参照）。
その結果、図２及び図４に示すように、第１の面状ファスナー４と第２の面状ファスナー５との間に被収納体２を位置させ、被収納体２の周囲に位置する第１の面状ファスナー４と第２の面状ファスナー５とを係合させて、被収納体２の移動を阻止して収納することができる。
【００２３】
また、上述したことを被収納体の移動阻止方法の面からみれば、相対向する一方の面の略全体に亘って位置する第１の面状ファスナー４を、相対向する他方の面の略全体に亘って位置すると共に、第１の面状ファスナー４に係脱自在に係合される第２の面状ファスナー５を、それぞれ設け、第１の面状ファスナー４と第２の面状ファスナー２との間に被収納体２を位置させ、被収納体２の周囲に位置する第１の面状ファスナー４と第２の面状ファスナー５とを係合させて、被収納体２の移動を阻止するものである。
【００２４】
このようにして得られた収納体Ｓによれば、袋状本体１内の一方の面に設けた第１の面状ファスナー４と袋状本体１内の他方の面に設けた第２の面状ファスナー５との間に被収納体２を位置させ、被収納体２の周囲に位置する第１の面状ファスナー４と第２の面状ファスナー５とを係合させて、袋状本体１内での被収納体２の移動を阻止して収納するため、被収納体２の移動に伴う不具合（例えば、袋状本体１内での被収納体２の移動に伴う損傷、被収納体２が複数の硬貨であれば、複数の硬貨の移動に伴う金属音）を防止することができ、しかも、開閉手段３を閉め忘れても、袋状本体１内の被収納体２が開口部１ａを介して外に飛び出すことをも防止することができ、更に、第１の面状ファスナー４は一方の面の略全体に亘って、第２の面状ファスナー５は他方の面の略全体に亘って、それぞれ設けられているため、被収納体２が平面視、第１の面状ファスナー４及び第２の面状ファスナー５より小さい範囲（図１参照）であれば、第１の面状ファスナー４と第２の面状ファスナー５とを係合させて、被収納体２の移動を阻止して収納することができる。
【００２５】
なお、第１の面状ファスナー４と第２の面状ファスナー５とを係合させて、袋状本体１内での被収納体２の移動を阻止して収納するため、場合によっては、上述した開閉手段３を省略するようにしても良い。
なお、第１の面状ファスナー４は、袋状本体１内の一方の面の全体に亘って設けたが、例えば、袋状本体１においても、図１３に示すように、第１の面状ファスナー４を設けた第１の部位４Ａと第１の面状ファスナー４を設けない第２の部位４Ｂとし、第２の部位４Ｂの外側に第１の部位４Ａを位置させ、第２の面状ファスナー５を設けた第３の部位５Ａと第２の面状ファスナー５を設けない第４の部位５Ｂとし、第４の部位５Ｂの外側に第３の部位５Ａを位置させ、第１の部位４Ａが第３の部位５Ａに、第２の部位４Ｂが第４の部位５Ｂに、それぞれ対向させるようにしても良い。
【００２６】
次に示す図７乃至図１０記載の実施例は、リストタイプの収納体Ｓである。袋状本体１は手首に装着するために、長手方向に長い長手形状をなしている。
本実施例においては、図１乃至図６記載の実施例と同一部分に同一符号を付して、その説明を省略している。
なお、１Ａ、１Ｂは、第３、第４の面状ファスナーで、第３の面状ファスナー１Ａを第４の面状ファスナー１Ｂに係合させて、収納体Ｓを手首に装着するようにしている。
【００２７】
また、図７乃至図１０記載のリストタイプの収納体Ｓの実施例においては、収納部は、一方側にしか設けられていないが、次に示す図１１及び図１２記載の実施例において示すように、両側に設けるようにしても良い。
なお、図１１及び図１２記載の本実施例においては、図１乃至図６記載の実施例、図７乃至図１０記載の実施例と同一部分に同一符号を付して、その説明を省略している。
【００２８】
また、上述した図１乃至図１２記載の実施例は、袋状本体１として袋状に限られたが、本願発明にあっては、これに限らず、例えば、図１３乃至図１５に示される収納体Ｓでも良い。
即ち、本体１’は、折曲線ＡＢに対して対称なものである。この本体１’の折曲線ＡＢの一方に位置する面に第１の面状ファスナー４を設けた第１の部位４Ａと第１の面状ファスナー４を設けない第２の部位４Ｂがあり、第２の部位４Ｂの外側に第１の部位４Ａが位置している。
また、本体１’の折曲線ＡＢの他方に位置する面に、第１の面状ファスナー４に係脱自在に係合される第２の面状ファスナー５を設けた第３の部位５Ａと第２の面状ファスナー５を設けない第４の部位５Ｂがあり、第４の部位５Ｂの外側に第３の部位５Ａが位置している。そして、折曲線ＡＢを介して折曲した際、第１の部位４Ａが第３の部位５Ａに、第２の部位４Ｂが第４の部位５Ｂに、それぞれ対向している。
折曲線ＡＢの一方に位置する面と折曲線ＡＢの他方に位置する面とが当接するように折り曲げて、第２の部位４Ｂと第４の部位５Ｂの間に被収納体２’（例えば、ＣＤ）を位置させ、被収納体２’の周囲に位置する第１の面状ファスナー４と第２の面状ファスナー５とを係合させて、被収納体２’の移動を阻止して収納するようにすることができる。
【００２９】
また、上述したことを被収納体の移動阻止方法の面からみれば、相対向する一方の面に第１の面状ファスナー４を設けた第１の部位４Ａと第１の面状ファスナー４を設けない第２の部位４Ｂがあり、第２の部位４Ｂの外側に第１の部位４Ａが位置し、相対向する他方の面に、第１の面状ファスナー４Ａに係脱自在に係合される第２の面状ファスナー５を設けた第３の部位５Ａと第２の面状ファスナー５を設けない第４の部位５Ｂがあり、第４の部位５Ｂの外側に第３の部位５Ａが位置し、第１の部位４Ａが第３の部位５Ａに、第２の部位４Ｂが第４の部位５Ｂに、それぞれ対向し、第２の部位４Ｂと第４の部位５Ｂの間に被収納体２’を位置させ、被収納体２’の周囲に位置する第１の面状ファスナー４と第２の面状ファスナー５とを係合させて、被収納体２’の移動を阻止するものである。
このようにして得られた図１３及び図１４記載の収納体Ｓによれば、第２の部位４Ｂと第４の部位５Ｂの間に被収納体２’を位置させ、被収納体２’の周囲に位置する第１の面状ファスナー４と第２の面状ファスナー５とを係合させて本体１’内での被収納体２’の移動を阻止して収納するため、被収納体２’の移動に伴う不具合（例えば、被収納体２’の移動に伴う損傷を防止することができる。
本体１’は、望ましくは、被収納体２’の保護のため、柔軟性のある素材で形成されていることが望ましい。被収納体２”は、ＣＤの他、皿（図１５参照）でも良い。
【００３０】
また、図１３においては、本体１’の折曲線ＡＢの一方に位置する面に第１の面状ファスナー４を部分的に設けたが、本体１’の折曲線ＡＢの一方に位置する面の略全体に亘って第１の面状ファスナー４を設けても良いし、同様に、本体１’の折曲線ＡＢの他方に位置する面に第２の面状ファスナー５を部分的に設けたが、本体１’の折曲線ＡＢの他方に位置する面の略全体に亘って第２の面状ファスナー５を設けても良い。
【００３１】
１
また、上述した図１３乃至図１５記載の実施例の収納体Ｓにあっては、第１の面状ファスナー４を設けない第２の部位４Ｂを単一、第２の面状ファスナー５を設けない第４の部位５Ｂを単一としたが、図１６及び図１７に示すように、複数としても良い。なお、被収納体２”’は、指輪である。
なお、図１６及び図１７記載の本実施例においては、図１乃至図６記載の実施例、図７乃至図１０記載の実施例、図１１及び図１２記載の実施例、図１３乃至図１５記載の実施例と同一部分に同一符号を付して、その説明を省略している。
【符号の説明】
【００３２】
Ｓ      収納体
１      袋状本体
１ａ    開口部
２      被収納体
３      開閉手段
４      第１の面状ファスナー
５      第２の面状ファスナー
【図１】
2012011110.tif 000003
【図２】
2012011110.tif 000004
【図３】
2012011110.tif 000005
【図４】
2012011110.tif 000006
【図５】
2012011110.tif 000007
【図６】
2012011110.tif 000008
【図７】
2012011110.tif 000009
【図８】
2012011110.tif 000010
【図９】
2012011110.tif 000011
【図１０】
2012011110.tif 000012
【図１１】
2012011110.tif 000013
【図１２】
2012011110.tif 000014
【図１３】
2012011110.tif 000015
【図１４】
2012011110.tif 000016
【図１５】
2012011110.tif 000017
【図１６】
2012011110.tif 000018
【図１７】
2012011110.tif 000019